(57)【特許請求の範囲】
【請求項１】
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部及び該固定棚に収納された状態の前記スライド棚の前端部よりも前方に前記冷気吸込口を配置するとともに、前記スライド棚が前方に引き出された状態で前記冷気吸込口に冷気を通風する移動通風孔を該スライド棚に設けることを特徴とする冷凍・冷蔵ショーケース。
【請求項２】
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部よりも前方及び該固定棚に収納された状態の前記スライド棚の前端部よりも後方に前記冷気吸込口を配置するとともに、前記スライド棚が前記固定棚に収納された状態で前記冷気吸込口に冷気を通風する第１移動通風孔と、前記スライド棚が前方に引き出された状態で前記冷気吸込口に冷気を通風する第２移動通風孔と、を該スライド棚に設けることを特徴とする冷凍・冷蔵ショーケース。
【請求項３】
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部及び該固定棚に収納された状態の前記スライド棚の前端部よりも後方に前記冷気吸込口を配置するとともに、該冷気吸込口に冷気を通風する固定通風孔を前記固定棚に設け、前記スライド棚が前記固定棚に収納された状態で前記固定通風孔と連通されて前記冷気吸込口に冷気を通風する第１移動通風孔と、前記スライド棚が前方に引き出された状態で前記固定通風孔と連通されて前記冷気吸込口に冷気を通風する第２移動通風孔と、を該スライド棚に設けることを特徴とする冷凍・冷蔵ショーケース。
【請求項４】
前記スライド棚は、レール部材により前後方向に移動可能になっており、前記移動通風孔が前記冷気吸込口に連通される位置で、前記スライド棚を移動不能に固定する固定手段が設けられていることを特徴とする請求項１ないし３のいずれかに記載の冷凍・冷蔵ショーケース。
【請求項５】
前記移動通風孔が前後方向に長く延びるスリット状に形成されており、該移動通風孔が左右方向に複数並んで配置されていることを特徴とする請求項１ないし４のいずれかに記載の冷凍・冷蔵ショーケース。
【請求項６】
前記スライド棚の前縁部には、手掛部が設けられていることを特徴とする請求項１ないし５のいずれかに記載の冷凍・冷蔵ショーケース。
【発明の詳細な説明】
【技術分野】
【０００１】
本発明は、主に冷凍・冷蔵商品の販売店舗等に設置される商品陳列用の冷凍・冷蔵ショーケースに関する。
【背景技術】
【０００２】
従来、ショーケースの最下段にあるスライド陳列板（スライド棚）にスライドレールを取り付けて手前に引き出せるようにし、スライド陳列板を手前に引き出すことで、その上面に載置された陳列商品を取り出し易くしている（例えば、特許文献１参照）。
【０００３】
【特許文献１】特開２０００−４１８０１号公報（第３頁、第１図）
【発明の開示】
【発明が解決しようとする課題】
【０００４】
しかしながら、特許文献１に記載のショーケースにあっては、スライド陳列板（スライド棚）を手前に引き出すと、スライド陳列板の手前直下に配置された吸込口が、スライド陳列板によって覆われるため、冷気のエアフローが吸込口に吸引され難くなるという問題がある。
【０００５】
本発明は、このような問題点に着目してなされたもので、スライド棚を出し入れ可能な冷凍・冷蔵ショーケースにおいて、スライド棚が引き出された状態であっても、冷気吸込口に吸い込まれる冷気の流れを妨げない冷凍・冷蔵ショーケースを提供することを目的とする。
【課題を解決するための手段】
【０００６】
前記課題を解決するために、本発明の請求項１に記載の冷凍・冷蔵ショーケースは、
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部及び該固定棚に収納された状態の前記スライド棚の前端部よりも前方に前記冷気吸込口を配置するとともに、前記スライド棚が前方に引き出された状態で前記冷気吸込口に冷気を通風する移動通風孔を該スライド棚に設けることを特徴としている。
この特徴によれば、スライド棚が固定棚に収納された状態では、冷気吸込口に吸い込まれる冷気の流れが妨げられないとともに、スライド棚の移動通風孔が固定棚によって閉塞されるので、冷蔵室内における冷気の流れを乱す虞がなくなり、かつスライド棚が固定棚から引き出され商品陳列スペースが増大された状態であっても、固定棚を伝ってスライド棚に設けられた移動通風孔から冷気が冷気吸込口に向かって流れるため、冷気吸込口に吸い込まれる冷気の流れが妨げないようにできる。
【０００７】
本発明の請求項２に記載の冷凍・冷蔵ショーケースは、
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部よりも前方及び該固定棚に収納された状態の前記スライド棚の前端部よりも後方に前記冷気吸込口を配置するとともに、前記スライド棚が前記固定棚に収納された状態で前記冷気吸込口に冷気を通風する第１移動通風孔と、前記スライド棚が前方に引き出された状態で前記冷気吸込口に冷気を通風する第２移動通風孔と、を該スライド棚に設けることを特徴としている。
この特徴によれば、スライド棚が固定棚に収納された状態では、スライド棚に設けられた第１移動通風孔から冷気が冷気吸込口に向かって流れるため、冷気吸込口に吸い込まれる冷気の流れが妨げられないとともに、スライド棚の第２移動通風孔が固定棚によって閉塞されるので、冷蔵室内における冷気の流れを乱す虞がなくなり、かつスライド棚が固定棚から引き出され商品陳列スペースが増大された状態であっても、固定棚を伝ってスライド棚に設けられた第２移動通風孔から冷気が冷気吸込口に向かって流れるため、冷気吸込口に吸い込まれる冷気の流れが妨げないようにできる。また、スライド棚を冷気吸込口よりも前方に張り出させて、スライド棚の面積を大きく形成できるようになり、多くの物品を載置できる。
【０００８】
本発明の請求項３に記載の冷凍・冷蔵ショーケースは、
外箱と内箱とにより、上面または前面が開口する冷蔵室を形成するとともに、前記外箱と前記内箱との間に形成された通風路内に、冷却手段と送風手段とを設け、前記通風路の冷気吹出口から冷気吸込口に向けて吹き出される冷気により前記冷蔵室を冷却する冷凍・冷蔵ショーケースであって、
前記冷蔵室内の商品を載置して陳列するための固定棚には、前後方向に移動可能なスライド棚が該固定棚の下方に収納され、前記固定棚の前端部及び該固定棚に収納された状態の前記スライド棚の前端部よりも後方に前記冷気吸込口を配置するとともに、該冷気吸込口に冷気を通風する固定通風孔を前記固定棚に設け、前記スライド棚が前記固定棚に収納された状態で前記固定通風孔と連通されて前記冷気吸込口に冷気を通風する第１移動通風孔と、前記スライド棚が前方に引き出された状態で前記固定通風孔と連通されて前記冷気吸込口に冷気を通風する第２移動通風孔と、を該スライド棚に設けることを特徴としている。
この特徴によれば、スライド棚が固定棚に収納された状態では、固定棚の固定通風孔及びスライド棚の第１移動通風孔から冷気が冷気吸込口に向かって流れるため、冷気吸込口に吸い込まれる冷気の流れが妨げられないとともに、スライド棚の第２移動通風孔が固定棚によって閉塞されるので、冷蔵室内における冷気の流れを乱す虞がなくなり、かつスライド棚が固定棚から引き出され商品陳列スペースが増大された状態であっても、固定棚の固定通風孔及びスライド棚の第２移動通風孔から冷気が冷気吸込口に向かって流れるため、冷気吸込口に吸い込まれる冷気の流れが妨げないようにできる。また、スライド棚及び固定棚を冷気吸込口よりも前方に張り出させて、スライド棚の面積及び固定棚の面積を大きく形成できるようになり、多くの物品を載置できる。
【０００９】
本発明の請求項４に記載の冷凍・冷蔵ショーケースは、請求項１ないし３のいずれかに記載の冷凍・冷蔵ショーケースであって、
前記スライド棚は、レール部材により前後方向に移動可能になっており、前記移動通風孔が前記冷気吸込口に連通される位置で、前記スライド棚を移動不能に固定する固定手段が設けられていることを特徴としている。
この特徴によれば、レール部材によりスムーズに前後方向に出し入れできるスライド棚を、固定棚から引き出して固定手段により所定の引き出し位置で固定して使用できるようになり、かつ固定手段により移動通風孔を冷気吸込口に連通される位置で固定して使用できる。
【００１０】
本発明の請求項５に記載の冷凍・冷蔵ショーケースは、請求項１ないし４のいずれかに記載の冷凍・冷蔵ショーケースであって、
前記移動通風孔が前後方向に長く延びるスリット状に形成されており、該移動通風孔が左右方向に複数並んで配置されていることを特徴としている。
この特徴によれば、スライド棚における移動通風孔が形成された部位に物品を載置して使用できるようになる。
【００１１】
本発明の請求項６に記載の冷凍・冷蔵ショーケースは、請求項１ないし５のいずれかに記載の冷凍・冷蔵ショーケースであって、
前記スライド棚の前縁部には、手掛部が設けられていることを特徴としている。
この特徴によれば、手掛部を把持すればスライド棚を固定棚から引き出し易くなる。
【発明を実施するための最良の形態】
【００１２】
本発明に係る冷凍・冷蔵ショーケースを実施するための最良の形態を実施例に基づいて以下に説明する。
【実施例１】
【００１３】
本発明の実施例を図面に基づいて説明すると、先ず図１は、実施例１における冷蔵ショーケースを示す斜視図であり、図２は、冷蔵ショーケースを示す縦断側面図であり、図３は、冷蔵ショーケースを示す平面図であり、図４は、固定棚及びスライド棚を示す縦断側面図である。以下、図２及び図４の紙面左方側を冷蔵ショーケースの正面側（前方側）とし、図３の紙面下方側を冷蔵ショーケースの正面側（前方側）として説明する。
【００１４】
図１の符号１は、本発明の適用された冷蔵ショーケースであり、この冷蔵ショーケース１は、主に商店やスーパーマーケットやコンビニエンスストア等の食品等を取り扱う販売店舗に設置され、商品（物品）を低温に保ったままの保冷状態で陳列するために設置される。
【００１５】
図２に示すように、冷蔵ショーケース１は、上方側及び前方側が開放された断熱構造を有する外箱２と、その内方に上面及び前面が開放された内箱３とを備えている。尚、内箱３は平面板３ａと背面板３ｂとにより構成されており、この平面板３ａと背面板３ｂとにより囲まれた内部空間が冷蔵室４となっている。
【００１６】
図２に示すように、外箱２と内箱３との間には、冷風が通風される通風路５が形成されており、通風路５内部には、空気を冷却するための本実施例における冷却手段としての冷却装置６と、本実施例における送風手段としての送風機７が設置されている。冷蔵ショーケース１の上部の前端には、通風路５内の冷気を吹き出す冷気吹出口８が前向きに開口されて形成されるとともに、この冷気吹出口８よりも前方側には、庇状に前方に向かって突出されたキャノピー９が設けられている。更に、冷蔵ショーケース１の下部の前端には、上方に開口する冷気（空気）の冷気吸込口１０が形成されている。
【００１７】
送風機７を作動させると、冷気吸込口１０から吸入された空気が冷却装置６により冷却され、この冷気が通風路５内を上方に向かって流れて、冷気吹出口８から前下方の冷気吸込口１０に向かって吹き出されるようになっている。これにより、冷蔵ショーケース１の前面の開放面に冷気のエアカーテンが形成されるとともに、その冷気が冷蔵室４内に流入されることにより、冷蔵室４内に陳列された商品が保冷（冷蔵）されるようになる。
【００１８】
この冷蔵室４の底部には、商品を載置して陳列するための固定棚１１が配置されており、この固定棚１１は、内箱３に対して固定されている。この固定棚１１の上面が、商品を陳列するための商品陳列スペースとなっている。尚、本実施例では、固定棚１１を内箱３と別体として構成しているが、固定棚１１を内箱３の一部として構成してもよい。
【００１９】
固定棚１１と内箱３との間には、前後方向に移動可能なスライド棚１２が収納されている。このスライド棚１２は、その前縁部が下方に向かって湾曲されて形成された手掛部１２ａが形成されている。手掛部１２ａを把持して手前に引くことで、スライド棚１２を固定棚１１から容易に引き出すことができる。このように手掛部１２ａを把持すればスライド棚を固定棚から引き出し易くなる。この手掛部１２ａの上方には、スライド棚１２上に載置された商品が前方に移動することを防ぐ柵部材１３が設けられている。
【００２０】
図３及び図４に示すように、冷蔵ショーケース１には、固定棚１１が左右方向に３つ並んで設けられており、各々の固定棚１１に対応してスライド棚１２が設けられている。尚、固定棚１１とスライド棚１２とは、入れ子構造となっており、スライド棚１２の寸法が若干小さくなっている。スライド棚１２の左右側部は、内箱３に対して固定された左右一対のレール部材１４が設けられており、スライド棚１２はレール部材１４に対して取り付けられている。そのためスライド棚１２は前後方向にスムーズに移動可能となっている。
【００２１】
また、スライド棚１２は固定手段１５によって所定の引き出し位置で固定されて使用されるようになっている。スライド棚１２は、図３において、右方側のスライド棚１２に示すように、スライド棚１２が固定棚１１に収納される収納位置と、中央部のスライド棚１２に示すように、スライド棚１２が途中まで引き出された中間位置と、左方側のスライド棚１２に示すように、スライド棚１２が最前方まで引き出された最前位置と、の３つの配置位置において固定されるようになっている。
【００２２】
図３及び図４を用いて固定手段１５について詳述すると、固定手段１５は、内箱３の上面に取り付けられた固定部材１６と、スライド棚１２の下面に取り付けられたレバー部材１７とにより構成されている。レバー部材１７は、の長手が前後方向に延びているとともに、固定部材１６は、その長手方向がレバー部材１７と平行をなすように配置されている。レバー部材１７の前端部及び後端部は屈曲されており、固定部材１６には、レバー部材１７の後端部が収まる切欠部１６ａが前後方向に並んで３箇所に形成されている。
【００２３】
レバー部材１７の前端部を操作することにより、レバー部材１７の後端部が固定部材１６に係脱される。レバー部材１７の後端部が固定部材１６の切欠部１６ａから外れると、スライド棚１２が前後方向に移動自在になり、レバー部材１７の後端部を固定部材１６に係合させると、スライド棚１２が前後方向に移動不能になる。そのためスライド棚１２を所定の配置位置で固定することができる。
【００２４】
本実施例の冷蔵ショーケース１では、スライド棚１２が固定棚１１から引き出されると、商品陳列スペースの面積が増大されるようになっている。そのため販売店舗等において、通常時には、スライド棚１２を固定棚１１に収納しておき、商品が多量に販売される時間帯などには、スライド棚１２を固定棚１１から引き出して商品陳列スペースを増大させることにより、より多くの商品を陳列できるようになっている。
【００２５】
図３及び図４に示すように、冷気吸込口１０は、固定棚１１の前端部及び固定棚１１に収納された状態（収納位置）のスライド棚１２の前端部よりも後方に配置されている。そのため冷気吸込口１０の上方は、固定棚１１及びスライド棚１２により覆われている。固定棚１１には、冷気吸込口１０に冷気を通風する固定通風孔１８が形成されるとともに、スライド棚１２には、収納位置において固定通風孔１８と連通されて冷気吸込口１０に冷気を通風する第１移動通風孔１９ａが形成されている。
【００２６】
また、スライド棚１２には、中間位置において固定通風孔１８と連通されて冷気吸込口１０に冷気を通風する第２移動通風孔１９ｂと、最前位置において固定通風孔１８と連通されて冷気吸込口１０に冷気を通風する第３移動通風孔１９ｃと、がさらに形成されている。
【００２７】
固定通風孔１８及び移動通風孔１９ａ，１９ｂ，１９ｃは、前後方向に長く延びるスリット状に形成されており、固定通風孔１８及び移動通風孔１９ａ，１９ｂ，１９ｃは、それぞれ固定棚１１及びスライド棚１２に左右方向に複数並んで形成されている。
【００２８】
以上、本実施例における冷蔵ショーケース１では、冷蔵室４内の固定棚１１には、前後方向に移動可能なスライド棚１２が収納され、固定棚１１の前端部及び固定棚１１に収納された状態（収納位置）のスライド棚１２の前端部よりも後方に冷気吸込口１０を配置するとともに、冷気吸込口１０に冷気を通風する固定通風孔１８を固定棚１１に設け、スライド棚１２が固定棚に収納された状態で固定通風孔１８と連通されて冷気吸込口１０に冷気を通風する第１移動通風孔１９ａと、スライド棚１２が前方に引き出された状態（中間位置及び最前位置）で固定通風孔１８と連通されて冷気吸込口１０に冷気を通風する第２及び第３移動通風孔１９ｂ，１９ｃと、をスライド棚１２に設けることで、スライド棚１２が固定棚１１に収納された状態では、固定棚１１の固定通風孔１８及びスライド棚１２の第１移動通風孔１９ａから冷気が冷気吸込口１０に向かって流れるため、冷気吸込口１０に吸い込まれる冷気の流れが妨げられないとともに、スライド棚１２の第２移動通風孔１９ｂが固定棚１１によって閉塞されるので、冷蔵室４内における冷気の流れを乱す虞がなくなり、かつスライド棚１２が固定棚１１から引き出された状態であっても、固定棚１１の固定通風孔１８及びスライド棚１２の第２移動通風孔１９ｂから冷気が冷気吸込口１０に向かって流れるため、冷気吸込口１０に吸い込まれる冷気の流れが妨げないようにできる。また、スライド棚１２及び固定棚１１を冷気吸込口１０よりも前方に張り出させて、スライド棚１２の面積及び固定棚１１の面積を大きく形成できるようになり、多くの商品を載置できる。
【００２９】
また、スライド棚１２は、レール部材１４により前後方向に移動可能になっており、移動通風孔１９ａ，１９ｂ，１９ｃが冷気吸込口１０に連通される位置で、スライド棚１２を移動不能に固定する固定手段１５が設けられていることで、レール部材１４によりスムーズに前後方向に出し入れできるスライド棚１２を、固定棚１１から引き出して固定手段１５により所定の引き出し位置で固定して使用できるようになり、かつ固定手段１５により移動通風孔１９ａ，１９ｂ，１９ｃを冷気吸込口１０に連通される位置で固定して使用できる。
【００３０】
また、移動通風孔１９ａ，１９ｂ，１９ｃが前後方向に長く延びるスリット状に形成されており、移動通風孔１９ａ，１９ｂ，１９ｃが左右方向に複数並んで配置されていることで、スライド棚１２における移動通風孔１９ａ，１９ｂ，１９ｃが形成された部位に商品を載置して使用できるようになる。
【実施例２】
【００３１】
次に、実施例２に係る冷凍・冷蔵ショーケースにつき、図５を参照して説明する。尚、前記実施例に示される構成部分と同一構成部分に付いては同一符号を付して重複する説明を省略する。図５は、実施例２における固定棚及びスライド棚を示す縦断側面図である。以下、図５の紙面左方側を冷蔵ショーケースの正面側（前方側）として説明する。
【００３２】
図５に示すように、冷気吸込口１０は、固定棚１１’の前端部よりも前方、及び固定棚１１’に収納された状態（収納位置）のスライド棚１２’の前端部よりも後方に配置されている。そのため冷気吸込口１０の上方は、スライド棚１２’により覆われている。スライド棚１２’には、収納位置において冷気吸込口１０に冷気を通風する第１移動通風孔１９ａが形成されている。
【００３３】
また、スライド棚１２’には、中間位置において冷気吸込口１０に冷気を通風する第２移動通風孔１９ｂと、最前位置において冷気吸込口１０に冷気を通風する第３移動通風孔１９ｃと、がさらに形成されている。尚、実施例２における固定棚１１’は、前記実施例１と異なり、冷気吸込口１０に冷気を通風する固定通風孔１８が形成されていない。更に尚、前記実施例１における固定棚１１’よりも前後方向の寸法が短く形成されている。
【００３４】
以上、実施例２における冷蔵ショーケース１’では、冷蔵室４内の固定棚１１’には、前後方向に移動可能なスライド棚１２’が収納され、固定棚１１’の前端部よりも前方及び固定棚１１’に収納された状態（収納位置）のスライド棚１２’の前端部よりも後方に冷気吸込口１０を配置するとともに、スライド棚１２’が固定棚１１’に収納された状態で冷気吸込口１０に冷気を通風する第１移動通風孔１９ａと、スライド棚１２’が前方に引き出された状態（中間位置及び最前位置）で冷気吸込口１０に冷気を通風する第２及び第３移動通風孔１９ｂ，１９ｃと、をスライド棚１２’に設けることで、スライド棚１２’が固定棚１１’に収納された状態では、スライド棚１２’に設けられた第１移動通風孔１９ａから冷気が冷気吸込口１０に向かって流れるため、冷気吸込口１０に吸い込まれる冷気の流れが妨げられないとともに、スライド棚１２’の第２及び第３移動通風孔１９ｂ，１９ｃが固定棚１１’によって閉塞されるので、冷蔵室４内における冷気の流れを乱す虞がなくなり、かつスライド棚１２’が固定棚１１’から引き出された状態であっても、スライド棚１２’に設けられた第２及び第３移動通風孔１９ｂ，１９ｃから冷気が冷気吸込口１０に向かって流れるため、冷気吸込口１０に吸い込まれる冷気の流れが妨げないようにできる。また、スライド棚１２’を冷気吸込口１０よりも前方に張り出させて、スライド棚１２’の面積を大きく形成できるようになり、多くの商品を載置できる。
【実施例３】
【００３５】
次に、実施例３に係る冷凍・冷蔵ショーケースにつき、図６を参照して説明する。尚、前記実施例に示される構成部分と同一構成部分に付いては同一符号を付して重複する説明を省略する。図６は、実施例３における固定棚及びスライド棚を示す縦断側面図である。以下、図６の紙面左方側を冷蔵ショーケースの正面側（前方側）として説明する。
【００３６】
図６に示すように、冷気吸込口１０は、固定棚１１’’の前端部及び固定棚１１’’に収納された状態（収納位置）のスライド棚１２’’の前端部よりも前方に配置されている。冷気吸込口１０の上方は、前後方向に長く延びるスリット孔２０が左右方向に複数並んで形成されたカバー板２１が設けられている。スライド棚１２’’が収納位置にある場合には、カバー板２１のスリット孔２０から冷気吸込口１０に冷気が通風されるようになっている。
【００３７】
また、スライド棚１２’’には、中間位置において冷気吸込口１０に冷気を通風する移動通風孔１９ａと、最前位置において冷気吸込口１０に冷気を通風する移動通風孔１９ｂと、が形成されている。尚、実施例３における固定棚１１’’は、前記実施例２と同様に、冷気吸込口１０に冷気を通風する固定通風孔１８が形成されていない。更に尚、実施例３における固定棚１１’’及びスライド棚１２’’は、前記実施例１における固定棚１１’’及びスライド棚１２’’よりも前後方向の寸法が短く形成されている。
【００３８】
以上、実施例３における冷蔵ショーケース１’’では、冷蔵室４内の固定棚１１’’には、前後方向に移動可能なスライド棚１２’’が収納され、固定棚１１’’の前端部及び固定棚１１’’に収納された状態（収納位置）のスライド棚１２’’の前端部よりも前方に冷気吸込口１０を配置するとともに、スライド棚１２’’が前方に引き出された状態（中間位置及び最前位置）で冷気吸込口１０に冷気を通風する移動通風孔１９ａ，１９ｂをスライド棚１２’’に設けることで、スライド棚１２’’が固定棚１１’’に収納された状態では、冷気吸込口１０に吸い込まれる冷気の流れが妨げられないとともに、スライド棚１２’’の移動通風孔１９ａ，１９ｂが固定棚１１’’によって閉塞されるので、冷蔵室４内における冷気の流れを乱す虞がなくなり、かつスライド棚１２’’が固定棚１１’’から引き出された状態であっても、スライド棚１２’’に設けられた移動通風孔１９ａ，１９ｂから冷気が冷気吸込口１０に向かって流れるため、冷気吸込口１０に吸い込まれる冷気の流れが妨げないようにできる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、商品を低温に保ったままの保冷状態で陳列するための冷蔵ショーケース１に、本発明を適用しているが、商品を凍らせた凍結状態で陳列するための冷凍ショーケースに、本発明を適用してもよい。
【００４１】
また、前記実施例では、スライド棚１２が固定棚１１に収納される構成となっているが、例えば、冷蔵室４の背面板３ｂに固定される固定棚を複数段設け、各々の固定棚にスライド棚１２を収納するとともに、冷気が通風される通風孔を固定棚及びスライド棚１２に形成するようにしてもよい。
【図面の簡単な説明】
【００４３】
【図１】実施例１における冷蔵ショーケースを示す斜視図である。
【図２】冷蔵ショーケースを示す縦断側面図である。
【図３】冷蔵ショーケースを示す平面図である。
【図４】固定棚及びスライド棚を示す縦断側面図である。
【図５】実施例２における固定棚及びスライド棚を示す縦断側面図である。
【図６】実施例３における固定棚及びスライド棚を示す縦断側面図である。
【符号の説明】
【００４４】
１、１’、１’’    冷蔵ショーケース
２                外箱
３                内箱
４                冷蔵室
５                通風路
６                冷却装置（冷却手段）
７                送風機（送風手段）
８                冷気吹出口
１０              冷気吸込口
１１、１１’      固定棚
１１’’          固定棚
１２、１２’      スライド棚
１２’’          スライド棚
１２ａ            手掛部
１４              レール部材
１５              固定手段
１６              固定部材
１６ａ            切欠部
１７              レバー部材
１８              固定通風孔
１９ａ            第１移動通風孔
１９ｂ            第２移動通風孔
１９ｃ            第３移動通風孔
【図１】
0005318399.tif 000002
【図２】
0005318399.tif 000003
【図３】
0005318399.tif 000004
【図４】
0005318399.tif 000005
【図５】
0005318399.tif 000006
【図６】
0005318399.tif 000007